(57)【要約】【課題】後付も可能で、子供などが不用意なスイッチ操作を行うことを確実に防止するスイッチガード具を提供することを目的とする。【解決手段】電気製品のスイッチを覆うことで不用意な操作を防止するスイッチガード具において、短筒状の本体部と、該本体部に蝶着された蓋部を備えており、前記蓋部と本体部を閉状態で係止する係合手段は、２段階操作にてその係合を解除することを特徴とする。  具体的には、相互に離反する方向に配設された一対のレバー部を備え、一対のレバー部の間に挿入する方向にばね付勢されたロック摺動子と、このロック摺動子を一対のレバー部の間から退避させる操作部とを含んでなるロック手段を備えるのが良い。【選択図】  図１
2006073211.tif 000002
【特許請求の範囲】
【請求項１】
電気製品のスイッチを覆うことで不用意な操作を防止するスイッチガード具において、
短筒状の本体部と、該本体部に蝶着された蓋部を備えており、
前記蓋部と本体部を閉状態で係止する係合手段は、２段階操作にてその係合を解除することを特徴とするスイッチガード具。
【請求項２】
係合手段は、係合する方向にばね付勢されたレバー部を蓋部に備え、このレバー部に形成した係止爪と、本体部に形成した係止部とを係合させたものであることを特徴とする請求項１記載のスイッチガード具。
【請求項３】
係合手段は、相互に離反する方向にばね付勢された一対のレバー部を蓋部に備え、このレバー部に形成した外側方向の係止爪と、本体部に形成した内側方向の係止部とを係合させたものであることを特徴とする請求項１又は２記載のスイッチガード具。
【請求項４】
２段階操作にて解除する係合手段の構成としては、相互に離反する方向に配設された一対のレバー部を備え、一対のレバー部の間に挿入する方向にばね付勢されたロック摺動子と、このロック摺動子を一対のレバー部の間から退避させる操作部とを含んでなるロック手段を備えたことを特徴とする請求項１〜３のいずれかに記載のスイッチガード具。
【発明の詳細な説明】
【技術分野】
【０００１】
本発明は、家電製品などのスイッチを子供などが不用意に操作することを防止するスイッチガード具に関する。
【背景技術】
【０００２】
家庭用電気製品には、プッシュ式のオン・オフスイッチが多く採用されている。
例えばファンヒーター等においては子供などが不用意に操作してしまうと危険であり、火災等の恐れもある。
このため、これらの電気製品にはいわゆるチャイルドロックと称する、比較的長時間押圧による電子的なロック機構を備えたものがある。
しかし、ロック用のスイッチを押圧するという単純な構造では指一本で操作できるため、安全装置としては不十分であった。
また、テレビジョン、デスクトップ型パソコン等の電気製品においては一般的にはこのようなスイッチ操作防止機能を設けていないものが多く、これらの製品では子供などが容易に操作してしまう恐れがあった。
そこで、簡単な構造でありながら子供などには操作できず、後付けも可能なスイッチのガード具が求められている。
例えば、特許第２６２３２１７号公報、意匠登録第１２０４７８２号公報にはスイッチボタンに蓋を設けることで、不用意にスイッチボタンを押圧することを防止する技術が開示されている。
しかしながら、この技術は蓋を簡単に開くことができることから子供などの誤操作に対する安全装置としては不十分である。
【０００３】
【特許文献１】特許第２６２３２１７号公報
【特許文献２】意匠登録第１２０４７８２号公報
【発明の開示】
【発明が解決しようとする課題】
【０００４】
本発明は上記技術的課題に鑑みて、後付けも可能で、子供などが不用意なスイッチ操作を行うことを確実に防止できるスイッチガード具を提供することを目的とする。
【課題を解決するための手段】
【０００５】
本発明の技術的要旨は、電気製品のスイッチを覆うことで不用意な操作を防止するスイッチガード具において、短筒状の本体部と、該本体部に蝶着された蓋部を備えており、前記蓋部と本体部を閉状態で係止する係合手段は、２段階操作しなければ、その係合を解除できないようにした点である。
【０００６】
ここで、短筒状の本体部とは電気製品のスイッチ（操作ボタン）回りを囲みガードする本体部をいい、外周に沿って立ち上げる周壁部を備えた枠体をいう。
従って、電気製品のボタン状のスイッチに合わせたリング状の筒体でも良く、スイッチが矩形形状であれば、それに合わせた角状の筒体でも良く、デザイン上から各種形状を選択使用も出来る。
該本体部に蝶着された蓋部を備えとは、例えば本体部に対し、一端を軸部を介して取り付け、この軸部を軸支点として開閉可能にした蓋部を備える趣旨である。
【０００７】
ここで、係合手段としては、係合する方向にばね付勢されたレバー部を蓋部に備え、このレバー部に形成した係止爪と、本体部に形成した係止部とを係合させる例が挙げられる。
【０００８】
より具体的には、蓋部に、外部から押し込み部を押すことでスライド操作可能な、相互に離反する方向にばね付勢された一対のレバー部を備え、このレバー部に形成した外側方向の爪状の係止爪と、本体部に形成した内側方向の突起状の係止部とを係合する構造が考えられる。
【０００９】
また、２段階操作にて解除する係合手段の構成としては、相互に離反する方向に配設された一対のレバー部を備え、一対のレバー部の間に挿入する方向にばね付勢されたロック摺動子と、このロック摺動子を一対のレバー部の間から退避させる操作部とを含んでなるロック手段を備えたことを特徴とする。
【００１０】
ここで、一対のレバー部の間に挿入する方向にばね付勢されたロック摺動子とは、例えば、一対のレバー部にそれぞれロック受け部を形成し、スライド操作可能なロック摺動子をこのロック受け部に係脱操作可能に配設する方法が考えられる。
この場合、操作部をスライドさせて、一対のロック受け部の間からロック摺動子を抜くことでレバー部のロックを解除することになる。
これにより、スイッチガード具の蓋部を開くには、操作部によるロック摺動子の退避スライド操作と、それとは概ね直角方向のレバー部押し込み操作との２段階操作を必要とする構造となる。
なお、ここで、一対のレバー部の間にロック摺動子を挿入する趣旨は、本体部と係合するレバー部の押込み操作を規制するためである。
従って、上記のようにロック摺動子を退避スライドさせてレバー部押込み操作を可能にする構造の他に、一対のレバー部の間にピンを挟んでおいて抜き取る構造、あるいは楕円状の回動子をその長径方向に挟んでおいてレバーの動きを規制し、短径方向に回転し遊びを持たせることでレバーの押込み操作を可能にする構造等も考えられる。
即ち、本発明は、蓋部と本体部との係合を解除するには２段階操作が必要である点に特徴があり、蓋部の係止爪と本体部の係止部との係合を解除する方向と異なる方向に操作するロック手段を備えたものである。
【発明の効果】
【００１１】
本発明に係るスイッチガード具においては、短筒状の本体部と、該本体部に蝶着された蓋部を備えており、前記蓋部と本体部を閉状態で係合している蓋部を開くには、２段階操作にて解除する２つの同時操作が必要であり、これを電気製品のスイッチを覆うように取り付けるため、子供などが勝手にスイッチを入れたり切ったりすることを確実に防止することが出来る。
また、係合手段として、蓋部に、相互に離反する方向にばね付勢された一対のレバー部に形成したそれぞれ外側方向の係止爪と、本体部に形成した内側方向の係止部とをそれぞれ係合させ、レバー部の間に挿入する方向にばね付勢されたロック摺動子と、このロック摺動子を一対のレバー部の間から退避させる操作部を蓋部に備えると、レバー部の押し込み規制・解除とロック摺動子の挿入・退避が一体的になり、簡単な構造になる。
【発明を実施するための最良の形態】
【００１２】
本発明に係るスイッチガード具１０の外観斜視図を図１に示す。    
スイッチガード具は短筒状の本体部２０と、本体部２０に軸部１１で連結し、軸部１１を支点として開閉可能に蓋部３０とを備えている。
このスイッチガード具１０は、例えば図９（イ）に示すようにファンヒーター１に対して、その電源スイッチ１ａに本体部２０の裏面に両面テープ１２を張り付ける等して、スイッチ１ａ部分を図９（ロ）に示すように覆うように取り付ける。
基本的機能を図１にて説明すると、操作部４５を矢印の方向にスライドさせないとレバー部４０を押し込み操作できないようにロックされている。
以下、具体的な構造を図を用いて説明する。
図２は蓋部３０が開かないようにロックした状態を示し、図２（イ）は平面図を示し、図２（ロ）は蓋部３０の上部を取り除いた内部説明図を示し、図２（ハ）はＡ１−Ａ１線断面図を示す。また、Ｂ−Ｂ線断面図を図３に示す。
スイッチガード具１０は、図９に示したようにスイッチ１ａを覆うように取り付けている。
市販の各種電気製品に容易に取り付けられるように、本体部の裏面には両面テープ１２が貼り付けられている。
図２（ロ）、図３に示すように、蓋部３０内部の蓋部底板３０ａには一対のレバー部４０を、ガイド壁３３に沿って、それらの押し込み部４１を外部へ突出させるように対向配設し、レバー部４０間には弾性体（スプリング）４４を配設し相互に離反する方向にばね付勢されている。
なお、蓋部底板３０ａは、図３に示すように、蓋部側の係止孔３０ｄに取付孔３０ｃを介してビス等にて固定している。
このレバー部４０は、図２（ハ）に示すように蓋部底板３０ａに形成した孔３０ｂを通して外側に係止爪４２を延出させている。
そして、この係止爪４２は、本体部２０の内壁内側に突出させた係止部２１と係合している。
蓋部３０は本体部に対して軸部１１の軸１１ａを軸支点として開閉可能に取り付けているが、係止爪４２と係止部２１とが係合しているため開閉をロックしている。
レバー部４０には、図２（ロ）に示すように矢印で示すレバー部押し込み方向側にロック受け部４３を形成している。
そして、対向配置したロック受け部４３間に規制部５１を挿入配置するようにロック摺動子５０を備えている。
ロック摺動子５０は蓋部３０に設けた長孔３１を挿通させたアーム部４６を介して蓋部３０上部に設けた操作部４５と連結している。
ロック摺動子５０はガイド部３２に沿って、レバー部４０の押し込み方向と略直角方向にスライド可能で、弾性体（スプリング）５２により規制部５１をロック受け部４３側にばね付勢している。
これにより、操作部４５をスライド操作することでロック摺動子５０をスライド退避可能としている。
図２の状態では、蓋部３０はレバー部４０の係止爪４２と本体部２０の係止部２１とが係合することで本体部２０にロックされ、子供などが開けようとしても開くことができない。
そして例えば、子供などがレバー部４０の押し込み部４１を押し込んで開けようとしても、レバー部４０をロック摺動子５０にて押し込み出来ないように規制しているため、蓋部３０を開けてスイッチガード具１０内のスイッチ１ａを押すことを防止する。
【００１３】
図４に操作部４５をスライド操作して、ロック摺動子５０をスライド退避させた状態を示す。
図４（ロ）に示すように、ロック摺動子５０をスライドさせることでレバー部４０のロック受け部４３に対するロック摺動子５０の規制部５１のロックを外す。
これにより、レバー部４０は内側に押し込み可能となる。
図５に操作部４５をスライド操作してロック摺動子５０を退避しながら、レバー部４０を押し込んだ状態を示す。
レバー部４０を押し込むことで、レバー部４０の係止爪４２を本体部２０の係止部２１から解除している。
これにより、はじめて蓋部３０を開くことができる。
このロック構造は簡単な構造でありながら、操作部４５のスライド方向の矢印Ｂと押し込み部４１の押し込み方向の矢印Ｃ１、Ｃ２とは略直角であるため、異なる２方向の操作を行う構造である。
これにより、例えば、図５では左手の指３と右手の指２ａ、２ｂを用いて係合を解除する。
この状態を側面からみた外観図を図６に示す。
図５、図６に示すように、蓋部３０の本体部２０に対する係合解除は、２段階操作により行うため、子供などがこの解除動作を行うことは非常に困難な構造となっている。
つまり、本発明に係るスイッチガード具１０は、係合解除に２段階操作する構造を設けることで、電気回路を必要としないシンプルな構造でありながら、子供などのスイッチ操作を非常に効果的に防止できる。
なお、図５に示した例は、両手で操作する場合である。
図示を省略したが、片手で操作する場合には、人指し指で操作部をスライドさせ、親指と中指でレバー部を押し込むことも可能である。
【００１４】
この蓋部３０と本体部２０との係合を解除した状態で、図７に示すように押し込み部４１を指２ａ、２ｂで押し込みながら蓋部３０を開く。
これにより、図８に示すように短筒状の本体部２０の内側にあるスイッチ１ａの操作が可能となる。
スイッチ１ａを操作時に、使用者は、押しこみ部４１を指２a、２bで押し込んだままスイッチを操作していれば、蓋部３０をそのまま閉めることができる。
また、スイッチ１aを操作時に、使用者が、押しこみ部４１を離してスイッチ操作したときは、蓋部３０を開けるときと同様に操作部４５をスライドさせ、押しこみ部４１を押して本体部２０に対して蓋部３０をはめ込み、スイッチ１ａを蓋部３０にて覆う。
【図面の簡単な説明】
【００１５】
【図１】本発明に係るスイッチガード具の外観斜視図を示す。
【図２】スイッチガード具のロック状態の説明図を示す。
【図３】Ｂ−Ｂ線断面図を示す。
【図４】ロック摺動子を操作した状態の説明図を示す。
【図５】ロック摺動子とレバー部を操作した状態の説明図を示す。
【図６】ロック摺動子とレバー部を操作した状態を側面方向からみた外観説明図を示す。
【図７】蓋部を持ち上げた状態の外観説明図を示す。
【図８】蓋部を開き、スイッチを押圧する状態の説明図を示す。
【図９】本発明に係るスイッチガード具のファンヒーターへ取り付け状態の説明図を示す。
【符号の説明】
【００１６】
１      ファンヒーター（電気製品）
１ａ    電源スイッチ（操作ボタン）
２ａ、２ｂ  右手指
３      左手指
１０    スイッチガード具
１１    軸部
１１ａ  軸
１２    両面テープ
２０    本体部
２１    係止部
３０    蓋部
３０ａ  蓋部底板
３０ｂ  係止爪用孔
３０ｃ  取り付け孔
３０ｄ  係止孔
３１    長孔
３２    ガイド部（ロック摺動子）
３３    ガイド壁（レバー部）
４０    レバー部
４１    押し込み部
４２    係止爪
４３    レバー部ロック受け部
４４    レバー部用弾性体（スプリング）
４５    操作部
４６    アーム部
５０    ロック摺動子
５１    ロック摺動子規制部
５２    ロック摺動子用弾性体（スプリング）
【図１】
2006073211.tif 000003
【図２】
2006073211.tif 000004
【図３】
2006073211.tif 000005
【図４】
2006073211.tif 000006
【図５】
2006073211.tif 000007
【図６】
2006073211.tif 000008
【図７】
2006073211.tif 000009
【図８】
2006073211.tif 000010
【図９】
2006073211.tif 000011